(57)【特許請求の範囲】
【請求項１】
放送波に基づいて放送内容を再生するチューナ部と、
前記チューナ部により前記放送内容の再生が開始された後、自端末における前記放送波の受信感度が閾値レベル以下である期間において、前記チューナ部による前記放送内容の再生を停止させるチューナ制御部と、
前記放送内容の視聴率を示す視聴率データを取得する視聴率データ取得部と、
前記チューナ部により再生されている放送内容について前記視聴率データ取得部が取得した視聴率データが示す視聴率が高いほど、前記閾値レベルを規定するパラメータを、前記閾値レベルを低くする方向に変更するパラメータ変更部と
を備えることを特徴とする携帯端末。
【請求項２】
自端末の現在位置を特定する位置特定部と、
複数位置における前記放送波の受信品質を記憶する受信品質記憶部に記憶された、前記位置特定部により特定された現在位置での前記受信品質を特定する受信品質特定部と
を備え、
前記パラメータ変更部は、
前記受信品質特定部により特定された受信品質が低いほど、前記閾値レベルを低くする方向に前記パラメータを変更する
ことを特徴とする請求項１に記載の携帯端末。
【請求項３】
前記放送波に基づいて再生される番組の視聴又は録画の予約を受け付ける予約受付部を備え、
前記パラメータ変更部は、
前記予約受付部が予約を受け付けた番組が再生されている期間には、当該予約が受け付けられなかった場合に比べて前記閾値レベルを低くする方向に前記パラメータを変更する
ことを特徴とする請求項１又は２に記載の携帯端末。
【請求項４】
自端末のユーザのユーザ属性を取得する端末ユーザ属性取得部と、
前記放送波に基づいて再生される番組に指定された当該番組の視聴を推奨するユーザのユーザ属性を取得する推奨ユーザ属性取得部と
を備え、
前記パラメータ変更部は、
前記端末ユーザ属性取得部が取得したユーザ属性と、前記推奨ユーザ属性取得部が取得した前記番組に指定されたユーザ属性との一致度が高いほど、当該番組が再生されている期間において前記閾値レベルを低くする方向に前記パラメータを変更する
ことを特徴とする請求項１から３のいずれか１項に記載の携帯端末。
【請求項５】
前記チューナ部により前記放送内容が再生されていないときに、その再生開始の指示をユーザから受け付ける指示受付部を備え、
前記チューナ制御部は、
前記指示受付部により前記指示が受付けられた場合、前記放送波の受信感度に関わらず前記放送内容の再生を開始させ、
前記パラメータ変更部は、
前記指示受付部により前記指示が受け付けられた回数又は頻度が閾値以上となった場合、前記閾値レベルを低くする方向に前記パラメータを変更する
ことを特徴とする請求項１から４のいずれか１項に記載の携帯端末。
【請求項６】
放送波に基づいて放送内容を再生するチューナ部を備える携帯端末のコンピュータに、
前記チューナ部により前記放送内容の再生が開始された後、自端末における前記放送波の受信感度が閾値レベル以下である期間において、前記チューナ部による前記放送内容の再生を停止させるチューナ制御ステップと、
前記放送内容の視聴率を示す視聴率データを取得する視聴率データ取得ステップと、
前記チューナ部により再生されている放送内容について前記視聴率データ取得ステップで取得した視聴率データが示す視聴率が高いほど、前記閾値レベルを規定するパラメータを、前記閾値レベルを低くする方向に変更するパラメータ変更ステップと
を実行させるためのプログラム。
【発明の詳細な説明】
【技術分野】
【０００１】
本発明は、ワンセグメント放送等の放送波を受信する携帯端末に関する。
【背景技術】
【０００２】
ワンセグメント放送（以下、「ワンセグ放送」という。）等の放送波を受信し、受信した放送波に基づいて、映像や音声を含む放送内容を再生するチューナを備えた携帯端末が普及している。このような携帯端末において電池残量には限りがあるし、携帯端末においてチューナの作動による電力の消費量が他の機能に比べて相対的に大きいから、ユーザの放送内容の視聴を原因として、携帯端末の連続使用時間が著しく短くなることがある。この課題を解決するための技術として、特許文献１，２に開示されたものがある。
【０００３】
特許文献１は、放送波に基づいて映像信号及び音声信号を再生する期間において、受信状況が良好であるか否かをビットエラーレートに基づいて判断し、ビットエラーレートが閾値以上である場合、通常通りに映像信号及び音声信号を再生し、ビットエラーレートが閾値未満である場合、直前の映像をホールドした静止画像を表示したまま音声信号を再生することを開示している。特許文献２は、所望の放送情報が受信可能であるかどうかを判定し、放送情報の受信が不可である場合に、受信不可通知を表示することを開示している。特許文献１，２に開示された技術によれば、放送波の受信状態が悪い場合にまで携帯端末が放送内容の再生動作を行う機会を減らすことができるので、端末の消費電力の量を抑えることができる。
【先行技術文献】
【特許文献】
【０００４】
【特許文献１】特開２００５−２２３５４８号公報
【特許文献２】再表２００６−０９３１２３号公報
【発明の概要】
【発明が解決しようとする課題】
【０００５】
ところで、特許文献１，２が開示する技術はいずれも、受信した放送波の受信感度が固定レベルよりも低下した場合に放送内容の再生を停止させるものであるから、受信感度の良し悪しの判断基準が常に同じである。しかしながら、例えば、ユーザが放送内容の視聴をどの程度望んでいるかは、ユーザ個々で異なったり、同一ユーザであっても様々な理由で変化したりする。携帯端末の電力消費が大きくてもユーザが放送内容を視聴したい場合もあれば、通話等の利用を考えて携帯端末の電池残量に余裕がある場合に限りユーザが放送内容を視聴したい場合もあるからである。このような理由から、携帯端末が自発的に放送波の受信感度の良し悪しの判断基準を変化させれば、チューナにおける消費電力の量と放送内容の再生に与える影響とのバランスが適切に保たれることが期待できる。
本発明は、このような事情に鑑みてなされたもので、チューナの再生動作を停止させる条件とする放送波の受信感度を自発的に判別することである。
【課題を解決するための手段】
【０００６】
上述した課題を解決するため、本発明の携帯端末は、放送波に基づいて放送内容を再生するチューナ部と、前記チューナ部により前記放送内容の再生が開始された後、自端末における前記放送波の受信感度が閾値レベル以下である期間において、前記チューナ部による前記放送内容の再生を停止させるチューナ制御部と、前記放送内容の視聴率を示す視聴率データを取得する視聴率データ取得部と、前記チューナ部により再生されている放送内容について前記視聴率データ取得部が取得した視聴率データが示す視聴率が高いほど、前記閾値レベルを規定するパラメータを、前記閾値レベルを低くする方向に変更するパラメータ変更部とを備えることを特徴とする。
【０００７】
本発明において、自端末の現在位置を特定する位置特定部と、複数位置における前記放送波の受信品質を記憶する受信品質記憶部に記憶された、前記位置特定部により特定された現在位置での前記受信品質を特定する受信品質特定部とを備え、前記パラメータ変更部は、前記受信品質特定部により特定された受信品質が低いほど、前記閾値レベルを低くする方向に前記パラメータを変更するようにしてもよい。
【０００８】
また、本発明において、前記放送波に基づいて再生される番組の視聴又は録画の予約を受け付ける予約受付部を備え、前記パラメータ変更部は、前記予約受付部が予約を受け付けた番組が再生されている期間には、当該予約が受け付けられなかった場合に比べて前記閾値レベルを低くする方向に前記パラメータを変更するようにしてもよい。
【０００９】
また、本発明において、自端末のユーザのユーザ属性を取得する端末ユーザ属性取得部と、前記放送波に基づいて再生される番組に指定された当該番組の視聴を推奨するユーザのユーザ属性を取得する推奨ユーザ属性取得部とを備え、前記パラメータ変更部は、前記端末ユーザ属性取得部が取得したユーザ属性と、前記推奨ユーザ属性取得部が取得した前記番組に指定されたユーザ属性との一致度が高いほど、当該番組が再生されている期間において前記閾値レベルを低くする方向に前記パラメータを変更するようにしてもよい。
【００１０】
また、本発明において、前記チューナ部により前記放送内容が再生されていないときに、その再生開始の指示をユーザから受け付ける指示受付部を備え、前記チューナ制御部は、前記指示受付部により前記指示が受付けられた場合、前記放送波の受信感度に関わらず前記放送内容の再生を開始させ、前記パラメータ変更部は、前記指示受付部により前記指示が受け付けられた回数又は頻度が閾値以上となった場合、前記閾値レベルを低くする方向に前記パラメータを変更するようにしてもよい。
【００１１】
本発明のプログラムは、放送波に基づいて放送内容を再生するチューナ部を備える携帯端末のコンピュータに、前記チューナ部により前記放送内容の再生が開始された後、自端末における前記放送波の受信感度が閾値レベル以下である期間において、前記チューナ部による前記放送内容の再生を停止させるチューナ制御ステップと、前記放送内容の視聴率を示す視聴率データを取得する視聴率データ取得ステップと、前記チューナ部により再生されている放送内容について前記視聴率データ取得ステップで取得した視聴率データが示す視聴率が高いほど、前記閾値レベルを規定するパラメータを、前記閾値レベルを低くする方向に変更するパラメータ変更ステップとを実行させるためのものである。
【発明の効果】
【００１２】
本発明によれば、チューナの再生動作を停止させる条件とする放送波の受信感度を自発的に判別することができる。
【図面の簡単な説明】
【００１３】
【図１】本発明の一実施形態のシステムの全体構成を示す図。
【図２】携帯端末の構成を示すブロック図。
【図３】受信品質ＤＢのデータ構造を示す図。
【図４】条件管理テーブルのデータ構造を示す図。
【図５】実施形態の制御部が実現する機能構成を示す機能ブロック図。
【図６】携帯端末における動作手順を示すフローチャート。
【図７】携帯端末における放送波の受信感度の変化の一例を示すグラフ。
【図８】携帯端末における放送波の受信感度の変化の一例を示すグラフ。
【図９】変形例１の制御部が実現する機能構成を示す機能ブロック図。
【図１０】変形例２の制御部が実現する機能構成を示す機能ブロック図。
【図１１】変形例３の制御部が実現する機能構成を示す機能ブロック図。
【図１２】変形例４の制御部が実現する機能構成を示す機能ブロック図。
【発明を実施するための形態】
【００１４】
以下、図面を参照して本発明の実施形態を説明する。
図１は、本実施形態のシステムの全体構成を示す図である。
携帯端末１０は、ここでは携帯電話端末であり、ユーザがワンセグ放送を視聴可能なように、テレビチューナやアンテナ等を備える。また、携帯端末１０は、ネットワークＮＷに接続して無線通信を行うことができるものである。サーバ装置２０は、例えば通信事業者によって管理されるサーバ装置であり、携帯端末１０から見た外部装置である。サーバ装置２０は、携帯端末１０とネットワークＮＷを介して無線通信により互いが接続されている。また、サーバ装置２０は、受信品質ＤＢ３０を装置内に記憶している。受信品質ＤＢ３０は、複数位置における放送波の受信品質を記憶する受信品質記憶部として機能し、複数位置の各位置での標準的な受信品質を管理するデータベースである。本実施形態の放送波は、ワンセグ放送の放送波である。受信品質は、放送波の伝送品質の指標となるパラメータであり、例えばビットエラーレート（ＢＥＲ；Bit Error Rate）や信号対雑音比（Ｓ／Ｎ比）に基づいて規定される。受信品質ＤＢ３０が記憶する内容は、例えば各場所でＢＥＲ試験や信号対雑音比の測定を行って得た測定結果により求められる。受信品質ＤＢ３０のより詳細な構成については後述する。ネットワークＮＷは、ここでは移動体通信網、ゲートウェイ及びインターネットを含む通信網である。
【００１５】
図２は、携帯端末１０の構成を示すブロック図である。携帯端末１０は、図２に示すように、制御部１１と、音声入出力部１２と、無線通信部１３と、操作部１４と、表示部１５と、チューナ部１６と、測位部１７と、記憶部１８とを備える。
制御部１１は、ＣＰＵ（Central Processing Unit）を含む演算装置やメモリを備える。演算装置は、記憶部１８に記憶されたプログラムをメモリに読み出して実行し、携帯端末１０の動作を制御する。音声入出力部１２は、受話音声等を収音するマイクロホンや送話音声やワンセグ放送の音声を放音するスピーカを備え、携帯端末１０に対する音声の入出力に関する機能を実現する。無線通信部１３は、ネットワークＮＷに接続するためのインタフェースである。操作部１４は、テンキー等の複数の操作子を備え、ユーザによる操作子の操作を受け付ける。表示部１５は、例えば液晶駆動回路や液晶ディスプレイを備え、ワンセグ放送の映像を含む各種の画像を表示する。
【００１６】
チューナ部１６は、図示せぬアンテナで受信されたワンセグ放送の放送波に基づいて、映像信号及び音声信号を含む放送内容を再生する。具体的には、チューナ部１６は、選択されたテレビチャネルに対応する周波数帯の放送波から音声信号や映像信号を復調し、復調した音声信号及び映像信号を出力する。制御部１１は、チューナ部１６からの音声信号を音声入出力部１２に出力して音声出力させ、チューナ部１６からの映像信号を表示部１５に出力して映像出力させる。測位部１７は、ＧＰＳ（Global Positioning System）測位方式に従って携帯端末１０の位置を測り、測った位置を示す位置情報を生成する。測位部１７が生成する位置情報は、携帯端末１０の現在位置の緯度及び経度を示すものである。記憶部１８は、例えばＥＥＰＲＯＭ（Electronically Erasable and Programmable ROM）を備え、制御部１１により実行されるプログラムや条件管理テーブル１８１等を記憶する。
【００１７】
図３は、受信品質ＤＢ３０のデータ構造を示す図である。
図３に示すように、受信品質ＤＢ３０では、「場所」及び「受信品質」の各フィールドに情報が記述され、これら各情報が対応付けられている。「場所」のフィールドには、受信品質ＤＢ３０に受信品質が登録された各場所を識別する情報が記述される。ここでは、「場所」のフィールドには、緯度及び経度を特定可能な情報が記述されるものとする。「受信品質」のフィールドには、放送波の標準的な受信品質を示すパラメータとして、「◎」、「○」、「△」、又は「×」のいずれかが記述される。ここでは、受信品質は４段階に区分され、前者のものほど受信品質が良好であることを示す。例えば、受信品質「◎」は、ワンセグ放送の視聴時において映像及び音声が途切れないこと意味する。また、受信品質「×」は、ワンセグ放送の視聴が不可能であることを示す。受信品質「○」及び「△」は、それぞれ中程度の受信品質を意味するが、ユーザはワンセグ放送を視聴することができるものの、一時的に放送内容が途切れることがあるものとする。
なお、ここでは受信品質が４段階に区分されているが、この区分数は一例であり、３以下又は５以上の複数段階に区分されていてもよい。
【００１８】
本実施形態では、受信品質ＤＢ３０において以下のようにして各位置の受信品質が規定されている。例えば、屋外である場所「Ａ公園」及び「Ｂ遊園地」では、受信品質が「◎」である。屋内を一部に含む場所「Ｃ駅」では、受信品質が「○」である。屋内である場所「Ｄビル」では、受信品質が「△」である。場所「Ｅ通り」では、屋外であるものの高層ビル群を通るなどの理由により、放送波がほとんど伝搬しないという理由から、受信品質が「×」となっている。以上のようにして、受信品質ＤＢ３０には、携帯端末１０で測位可能な様々な場所について放送波の受信品質が記憶される。ＧＰＳ測位が可能な場所であっても、場所ごとに放送波の受信品質は異なるものである。
なお、受信品質ＤＢ３０はあくまで各位置の標準的な受信品質を記憶するものであるから、常にこの受信品質を反映した受信感度で携帯端末１０が放送波を受信できるとは限らない。例えば、受信品質が良好な場所であっても、携帯端末１０の位置の周辺環境や外乱などの影響によって、放送波の受信感度が低下することはあり得るし、受信品質が不良である場所であっても、その一部の場所では放送波の受信感度が十分に確保される場合もあり得る。
【００１９】
図４は、条件管理テーブル１８１のデータ構造を示す図である。条件管理テーブル１８１は、携帯端末１０における放送波の受信品質と、当該受信品質により定まる閾値レベルとの対応関係を記述したデータテーブルである。この閾値レベルは、携帯端末１０がチューナ部１６で放送波に基づく放送内容を再生するか否かを判断する際に参照されるパラメータである。この閾値レベルは、放送波に基づいて放送内容の再生可能か否かの境界のレベルとは異なるものであり、この閾値レベルを下回る受信感度であっても携帯端末１０が放送内容を再生可能である場合がある。
図４に示すように、条件管理テーブル１８１では、受信品質「◎」に閾値レベル「Ｔｈ１」が対応付けられ、受信品質「○」に閾値レベル「Ｔｈ２」が対応付けられ、受信品質「△」に閾値レベル「Ｔｈ３」が対応付けられ、受信品質「×」に閾値レベル「Ｔｈ４」が対応付けられている。ただし、各閾値レベルは、Ｔｈ１＞Ｔｈ２＞Ｔｈ３＞Ｔｈ４という関係にある。要するに、条件管理テーブル１８１では、受信品質が低いほど閾値レベルが低くなるように対応関係が記述されている。このような受信品質と閾値レベルとの関係にしている理由については、後述する。
続いて、携帯端末１０の制御部１１が実現する機能について説明する。
【００２０】
図５は、制御部１１が実現する機能構成を示す機能ブロック図である。
制御部１１はプログラムを実行することにより、位置特定部１１１と、受信品質特定部１１２と、チューナ制御部１１３と、パラメータ変更部１１４とに相当する各機能を実現する。
位置特定部１１１は、携帯端末１０の現在位置を特定する。位置特定部１１１は、チューナ部１６により放送内容の再生が開始された後、測位部１７により携帯端末１０の位置が測られると、測位部１７で測られた位置を示す位置情報を取得する。位置特定部１１１は、取得した位置情報に基づいて携帯端末１０の現在位置を特定する。
【００２１】
受信品質特定部１１２は、チューナ部１６により放送内容の再生が開始された後（つまり、放送内容の再生中）、位置特定部１１１により特定された現在位置での放送波の受信品質を特定する。本実施形態では、位置特定部１１１により現在位置が特定されると、受信品質特定部１１２は、受信品質ＤＢ３０で規定される現在位置での受信品質を通知するよう、無線通信部１３によりサーバ装置２０に要求する。受信品質特定部１１２は、この要求に応じて無線通信部１３によりサーバ装置２０から受信された通知に基づいて、受信品質を特定する。
【００２２】
チューナ制御部１１３は、チューナ部１６により放送内容の再生が開始された後、放送波の受信感度が閾値レベル以下となった場合、チューナ部１６による放送内容の再生を停止させる。放送波の受信感度は、受信品質と同様、放送波の伝送品質の指標となるパラメータであり、例えばＳ／Ｎ比である。ただし、受信感度は携帯端末１０で現に受信された放送波の感度である点で、上記受信品質とは相違する。チューナ制御部１１３は、放送内容の再生中に放送波の受信感度が閾値レベル以下まで悪化した場合、この再生を停止させる。
【００２３】
パラメータ変更部１１４は、予め決められた条件に従って、チューナ制御部１１３で再生停止するか否かの基準となる閾値レベルを規定するパラメータを変更する。この閾値レベルを規定するパラメータ（以下、単に「閾値レベル」ということがある。）は、受信感度を示すパラメータと比較されることがあるものであり、例えばＳ／Ｎ比に対応して定められる。パラメータ変更部１１４は、条件管理テーブル１８１に記述された内容に従って、位置特定部１１１で特定された現在位置で受信品質特定部１１２により特定された受信品質が低いほど、閾値レベルを低くする。すなわち、パラメータ変更部１１４は、位置特定部１１１が特定した現在位置が変化した場合に受信品質が低下したときには、閾値レベルを低下させる一方で、位置特定部１１１が特定した現在位置が変化した場合に受信品質が改善したときには、閾値レベルを上昇させる。
次に、携帯端末１０の動作について説明する。
【００２４】
図６は、携帯端末１０における動作手順を示すフローチャートである。以下に説明する動作の前は、ユーザは携帯端末１０でワンセグ放送の視聴をしておらず、携帯端末１０のチューナ部１６は作動していないものとする。
制御部１１は、ユーザの操作部１４の操作により、ワンセグモードでの動作を開始することが指示されたか否かを判断する（ステップＳ１）。ワンセグモードは、ユーザがワンセグ放送を視聴可能なように動作するときの携帯端末１０の動作モードである。すなわち、ワンセグモードでは、チューナ部１６は放送波に基づいて放送内容を再生する。
制御部１１は、ワンセグモードでの動作を開始することを指示するための操作部１４の操作がユーザにより行われたと判断すると（ステップＳ１；ＹＥＳ）、チューナ部１６を作動させて、放送波に基づく放送内容の再生を開始させる（ステップＳ２）。
【００２５】
次に、制御部１１は、測位タイミングが到来したか否かを判断する（ステップＳ３）。携帯端末１０では、ワンセグモードでの動作中に、決められた期間毎（例えば、１分毎）に測位部１７によって現在位置の測位が行われる。制御部１１は、測位タイミングが到来したと判断すると（ステップＳ３；ＹＥＳ）、測位部１７により測位を行って、測位部１７により生成された位置情報に基づいて、携帯端末１０の現在位置を特定する（ステップＳ４）。
【００２６】
次に、制御部１１は、ステップＳ４の処理で特定した現在位置での放送波の受信品質を特定する（ステップＳ５）。ここでは、制御部１１は、ステップＳ４の処理の測位で特定した現在位置での放送波の受信品質の通知要求を、無線通信部１３によりサーバ装置２０に送信する。この通知要求を受信したサーバ装置２０は、通知要求に含まれる位置情報により特定される場所を特定し、受信品質ＤＢ３０でこの場所に対応付けられた受信品質を特定する。そして、サーバ装置２０は特定した受信品質を携帯端末１０に通知する。制御部１１は、無線通信部１３によりサーバ装置２０から受信された通知に基づいて受信品質を特定する。ここでは、制御部１１は、場所「Ｃ駅」の受信品質として「○」を特定したものとする。
【００２７】
次に、制御部１１は、放送内容の再生の継続又は停止を判断する際に参照する閾値レベルを設定する（ステップＳ６）。ここでは、制御部１１は、記憶部１８に記憶された条件管理テーブル１８１の内容に従い、閾値レベル「Ｔｈ２」に設定する。
【００２８】
次に、制御部１１は、チューナ部１６での放送波の受信感度と閾値レベルとを比較し、その比較結果に応じて、放送内容の再生を継続させるか、又は再生を停止させるかのいずれかとするようチューナ部１６を制御する（ステップＳ７）。
図７は、携帯端末１０における放送波の受信感度の変化の一例を示すグラフである。図７に示すグラフでは、横軸が時刻に対応し、縦軸が携帯端末１０における放送波の受信感度に対応する。図７に示すように、場所「Ｃ駅」では閾値レベルがＴｈ２である。制御部１１は、受信感度が閾値レベルＴｈ２を上回っている限り、チューナ部１６での放送内容の再生を継続して行わせる。一方で、放送波の受信感度が閾値レベルＴｈ２以下となった期間では、制御部１１はチューナ部１６での放送内容の再生を停止させる。受信感度が閾値レベルよりも低下したということは、携帯端末１０の放送波にノイズが多く混入したり、放送波そのものの強度が低下したりして、ユーザにとってワンセグの視聴が困難な状況になったことを示す。そこで、制御部１１が、このようにワンセグ放送の視聴が困難となる期間では、映像や音声出力がある程度可能であったとしても、チューナ部１６での再生動作を停止させて、この再生動作に係る携帯端末１０の消費電力の量を抑えるようにする。
【００２９】
次に、制御部１１は、ワンセグモードを継続するか否かを判断する（ステップＳ８）。ここでは、制御部１１は、ワンセグモードでの動作を終了することを指示するための操作部１４の操作がユーザにより行わるまでは、ワンセグモードを継続すると判断する（ステップＳ８；ＹＥＳ）。そして、制御部１１は、ステップＳ３の処理に戻って次の測位タイミングが到来するまで待機する。この待機期間にあっては、制御部１１は、その直前のステップＳ６の処理で設定した閾値レベル（ここでは、Ｔｈ２）に従って、チューナ部１６の再生動作の有無を、放送波の受信感度と閾値レベルとの関係に基づいて決定する。
【００３０】
制御部１１は、次の測位タイミングが到来したと判断すると（ステップＳ３；ＹＥＳ）、測位部１７により測位を行って、携帯端末１０の現在位置を特定する（ステップＳ４）。ここではユーザが「Ｃ駅」から「Ｄビル」に移動したとし、制御部１１はＤビルの緯度及び経度を特定したとする。次に、制御部１１は、ステップＳ４の処理で特定した現在位置の放送波の受信品質を特定する（ステップＳ５）。この受信品質の特定手順は上述したとおりである。そして、制御部１１は、閾値レベルを設定する（ステップＳ６）。ここでは、制御部１１は、条件管理テーブル１８１で場所「Ｄビル」の受信品質「△」に対応付けられた閾値レベル「Ｔｈ３」に設定（つまり、変更）する。このようにして、制御部１１は、特定した現在位置が変化した場合に受信品質が低下したことを理由として、閾値レベルを変更する。
【００３１】
そして、制御部１１は、直前のステップＳ６の処理で設定した閾値レベルに従って、放送波の受信感度が閾値レベル以下になったか否かを判断し、その判断結果に応じて放送内容の再生の継続又は停止させるよう、チューナ部１６を制御する（ステップＳ７）。
制御部１１は、ワンセグモードを継続する限りは、上述したステップＳ３〜Ｓ７の処理ステップを繰り返し実行する。そして、制御部１１は、ワンセグモードを終了すると判断すると（ステップＳ８；ＮＯ）、ワンセグモードを終了する。
以上が、携帯端末１０の動作の説明である。
【００３２】
ところで、閾値レベルを可変とする構成を携帯端末１０で採っている理由は、以下のとおりである。図８は、携帯端末１０における放送波の受信感度の変化の例である。
図８に示すように、Ｃ駅では閾値レベルはＴｈ２であり、Ｄビルでは閾値レベルはＴｈ３である。携帯端末１０は受信品質ＤＢ３０から標準的な受信品質を得ることはできるものの、自端末の周辺環境や外乱の影響などを受けて、放送波の受信感度は時々刻々と変化する。よって、図８に示すように、受信品質が「○」であるＣ駅であっても、期間Ｔ１のように、一時的に受信感度が閾値レベル以下となり、チューナ部１６の再生動作が停止することがある。一方、Ｄビルでは、Ｃ駅よりも受信品質ＤＢ３０から得られる標準的な受信品質が悪いので、閾値レベルが低く変更されている。仮に、閾値レベルがＴｈ２に固定されていれば、Ｄビルでは携帯端末１０の受信感度がほぼ継続的に閾値レベル以下となる。しかしながら、ここでは、ＤビルではＣ駅よりも閾値レベルが低く変更されているから、受信品質が「△」であるＤビルであっても、期間Ｔ２のように、受信感度が閾値レベル以下となる期間は期間Ｔ１に近い長さである。携帯端末１０がこのように閾値レベルを変更することで、以下のような作用効果を奏する。
【００３３】
携帯端末１０の移動により受信品質が変化した場合であっても、受信感度が閾値レベル以下になったことを原因として放送内容の再生が停止される期間の変動を抑えることができる。すなわち、携帯端末１０がどの場所にあっても安定的に消費電力の低減の効果を奏することとなる。携帯端末１０では、電池残量を効率よく使用したいという事情があったり、自端末の残りの動作時間を予測したりする場合もあるから、携帯端末１０における消費電力量が安定的であることが好ましい。このように、携帯端末１０が閾値レベルを可変にすることで、消費電力量が携帯端末１０の位置に応じて変動することを抑えることができる。
【００３４】
また、閾値レベルがＴｈ２に固定されていれば、Ｄビルではユーザは著しく視聴が困難になってしまう。これでは、ユーザが仮に見たい番組などがあってもこれを視聴することができない。これに対し、本実施形態では、受信品質が悪いエリアでは閾値レベルが低下させられるので、図８に示すように受信品質が悪い場所にユーザが移動した場合であっても、受信感度が閾値レベルを下回る期間にほとんど変化がなく、ユーザにとっては急激にワンセグ放送の視聴が困難になることがない。これにより、ユーザが見たい番組があったタイミングで別の場所に移動したとしても、移動後の場所では携帯端末１０でこれを視聴できない、という予期し難い事態が発生するのを抑えることができる。
なお、ここでは期間Ｔ１，Ｔ２の長さがかなり近いが、携帯端末１０が受信品質に応じて上記のように閾値レベルを変更すれば、この変更をしない場合に比べて、前掲の作用効果を奏する。
【００３５】
以上説明した実施形態によれば、携帯端末１０において放送波の受信感度が低下した場合には、チューナ部１６の再生動作を停止するので、不要な再生動作によって携帯端末１０の不要な消費電力が発生することを抑えることができる。そして、携帯端末１０は閾値レベルを変更する構成を有しており、受信品質が悪い場所にユーザが移動した場合には、閾値レベルを低くするように変更する。これにより、携帯端末１０の位置の変化により生じる、放送内容の再生に与える影響を抑えつつ、携帯端末１０における消費電力量の変動を抑えることができる。
【００３６】
［変形例］
本発明は、上述した実施形態と異なる形態で実施することが可能である。本発明は、例えば、以下のような形態で実施することも可能である。また、以下に示す変形例は、各々を適宜に組み合わせてもよい。
［変形例１］
上述した実施形態では、携帯端末１０は特定された現在位置において受信品質ＤＢ３０により特定された受信品質が低いほど、閾値レベルを低くするようにこの閾値レベルを変更していたが、これ以外の条件に従って閾値レベルを変更してもよい。
図９は、この変形例の制御部１１が実現する機能構成を示す機能ブロック図である。
制御部１１はプログラムを実行することにより、チューナ制御部１１３と、パラメータ変更部１１４と、視聴率データ取得部１１５とに相当する各機能を実現する。これら各機能のうち、チューナ制御部１１３は、上述した第１実施形態と同じ機能であるから、その説明を省略する。
【００３７】
視聴率データ取得部１１５は、放送波に基づく放送内容の視聴率を示す視聴率データを取得する。具体的には、視聴率データ取得部１１５は、無線通信部１３によるサーバ装置２０との通信により各番組の視聴率を示す視聴率データを取得する。パラメータ変更部１１４は、チューナ部１６により再生されている放送内容について視聴率データ取得部１１５が取得した視聴率データが示す視聴率が高いほど、閾値レベルを低くする。この視聴率は、毎週放送されるような番組については、前週分の視聴率や過去の所定期間（例えば、過去２ヶ月）分の平均視聴率など、過去の視聴率が採用されるとよい。また、リアルタイムで現在の視聴率を収集する機能が、携帯端末１０やサーバ装置２０により実現されるのであれば、携帯端末１０がこの機能を利用して各番組の視聴率データを取得してもよい。
なお、視聴率データ取得部１１５が視聴率データを取得する先は、サーバ装置２０以外であってもよく、例えば放送波に含まれていれば、放送波から抽出された視聴率データを取得してもよい。
【００３８】
一般に、視聴率が高い番組については多くの視聴者が視聴するものであるから、その注目度が高いといえる。よって、ユーザがこの番組を視聴するときにもこれを視聴したい度合いが高いと考えられる。よって、携帯端末１０では、視聴率が高い番組ほど閾値レベルを低くすることで、ユーザが視聴したい番組の再生動作が停止する期間を短くすることができ、ユーザにストレスを感じさせることを抑えられる。また、視聴率が低い番組については、ユーザの注目度も低いとして閾値レベルを高くするから、携帯端末１０の消費電力の増大を効率的に抑えられる。
以上のとおり、この変形例の構成によれば、携帯端末１０は視聴率からユーザがどの程度番組の視聴を欲しているかを判断して、閾値レベルを設定することができる。なお、視聴率は放送局単位の視聴率が用いられてもよく、この場合、携帯端末１０は放送チャネル毎に閾値レベルを異ならせるようにしてもよい。
【００３９】
［変形例２］
また、携帯端末１０は視聴予約や録画予約の有無に応じて閾値レベルを変更してもよい。
図１０は、この変形例の制御部１１が実現する機能構成を示す機能ブロック図である。
制御部１１はプログラムを実行することにより、チューナ制御部１１３と、パラメータ変更部１１４と、予約受付部１１６とに相当する各機能を実現する。これら各機能のうち、チューナ制御部１１３の機能は、上述した第１実施形態と同じ機能であるから、その説明を省略する。
予約受付部１１６は、放送波に基づいて再生される番組の視聴又は録画の予約を受け付ける。パラメータ変更部１１４は、予約受付部１１６が予約を受け付けた番組が再生されている期間においては、予約が受け付けられなかった場合に比べて閾値レベルを低くする。
この変形例の携帯端末１０によれば、視聴又は録画予約の有無によってユーザが番組をどの程度視聴したいかを間接的に把握することができる。よって、変形例１と同様の理由により、携帯端末１０では、ユーザが視聴したい番組の再生動作が停止する期間を短くすることができるし、ユーザの注目度が低い番組については閾値レベルを高くすることで、携帯端末１０の消費電力の増大を効率的に抑えられる。
【００４０】
［変形例３］
また、携帯端末１０はユーザ属性に応じて閾値レベルを変更してもよい。
図１１は、この変形例の制御部１１が実現する機能構成を示す機能ブロック図である。
制御部１１はプログラムを実行することにより、チューナ制御部１１３と、パラメータ変更部１１４と、端末ユーザ属性取得部１１７と、推奨ユーザ属性取得部１１８とに相当する各機能を実現する。これら各機能のうち、チューナ制御部１１３の機能は、上述した第１実施形態と同じ機能であるから、その説明を省略する。
端末ユーザ属性取得部１１７は、携帯端末１０のユーザのユーザ属性を取得する。端末ユーザ属性取得部１１７は、例えばユーザの性別及び年齢、ユーザが興味のあるジャンルといった、ユーザに関する属性を取得する。端末ユーザ属性取得部１１７は、ユーザによる操作部１４の操作で入力された内容に従ってユーザ属性を取得する。推奨ユーザ属性取得部１１８は、各番組に指定された番組の視聴を推奨するユーザの属性を取得する。推奨ユーザ属性取得部１１８は、例えば、放送局側で指定されたユーザ属性であって放送波に含まれたユーザ属性を放送波から抽出して取得する。
【００４１】
パラメータ変更部１１４は、端末ユーザ属性取得部１１７が取得したユーザ属性と、推奨ユーザ属性取得部１１８が取得した番組に指定されたユーザ属性との一致度が高いほど（例えば、一致する項目数が多いほど）、この番組が再生されている期間では閾値レベルを低くする。番組の視聴を推奨するユーザのユーザ属性は、この属性のユーザが好むものとして指定されている。よって、携帯端末１０のユーザのユーザ属性と一致する度合いが高いほど、そのユーザが番組を視聴したい度合いが高いと推測される。よって、この変形例の携帯端末１０の構成であっても、ユーザが視聴したい番組の再生動作が停止する期間を短くするとともに、効果的に携帯端末１０の消費電力量の増大を抑えられる。
【００４２】
［変形例４］
上述した実施形態において、携帯端末１０は、ユーザがどの程度ワンセグ放送の視聴を欲しているかを、チューナ部１６により再生動作が行われていないときにユーザから受け付けた、放送内容の再生開始の指示の回数又は頻度に基づいて特定する。
図１２は、この変形例の制御部１１が実現する機能構成を示す機能ブロック図である。
制御部１１はプログラムを実行することにより、チューナ制御部１１３と、パラメータ変更部１１４と、指示受付部１１９とに相当する各機能を実現する。
指示受付部１１９は、ユーザによる操作部１４の操作によって、放送内容の再生開始の指示（以下、「再生開始指示」という。）をユーザから受け付ける。すなわち、指示受付部１１９は、ワンセグモードの開始前や、ワンセグモード中の再生動作の停止期間などの、チューナ部１６が放送波に基づく放送内容の再生を行っていないときに、再生開始指示を受け付ける。チューナ制御部１１３は、指示受付部１１９により再生開始指示が受付けられた場合、放送波の受信感度に関わらず、放送内容の再生を開始する。
【００４３】
パラメータ変更部１１４は、指示受付部１１９により再生開始指示が受け付けられた回数が閾値以上である場合、閾値レベルを低くするよう変更する。放送内容の再生を行っていないときに、ユーザが再生開始を指示したということは、ユーザがワンセグ放送の視聴を強く望んでいると判断することができる。そこで、パラメータ変更部１１４は、再生開始指示が受け付けられた回数が閾値以上になれば、閾値レベルを下げる。
なお、この変形例では、パラメータ変更部１１４は、指示受付部１１９が再生開始指示を受け付けられた回数を特定することに代えて、当該再生開始指示が受け付けられた頻度を特定してもよい。この場合であっても、パラメータ変更部１１４は、再生開始する旨の応答が受け付けられた頻度が閾値以上になった場合に、閾値レベルを下げる。
【００４４】
［変形例５］
上述した実施形態、及び変形例１〜４に係る閾値レベルの変更方法を複数組み合わせてもよい。この場合、パラメータ変更部１１４は、閾値レベルを低くする方向に変更する条件を満たす項目が多いほど、より大きく閾値レベルを低くすればよいし、閾値レベルを高くする方向に変更する条件を満たす項目が多いほど、より大きく閾値レベルを高くすればよい。
【００４５】
［変形例６］
上述した実施形態では、受信品質特定部１１２は、各位置における放送波の受信品質を記憶する受信品質ＤＢ３０から、自端末の現在位置における受信品質を特定していた。受信品質ＤＢ３０は、外部装置であるサーバ装置２０が記憶するものでなく、携帯端末１０の記憶部１８に記憶されていてもよい。
この場合、制御部１１は、チューナ部１６で放送内容が再生されている期間において、測位部１７が測る位置と、当該位置においてチューナ部１６が受信する放送波の受信品質とに基づいて、受信品質ＤＢ３０の記憶内容を更新することが好ましい。例えば、各場所における放送波の受信品質は、周辺環境の変化などによって変動する可能性がある。例えば、元々、放送波の受信品質が良好な場所であっても、その近所に高層ビルが建築された場合には、放送波の伝搬経路が遮断されて、その場所における放送波の受信品質が悪化することが考えられる。このように、携帯端末１０が受信品質を特定するために参照する受信品質ＤＢ３０は、常に最新の受信品質を表すようにその記憶内容に更新されることが好ましい。そこで、制御部１１は、チューナ部１６で放送波に基づく放送内容が再生されている期間においてビットエラーレートを算出し、算出したビットエラーレートに対応する受信品質（「◎」、「○」、「△」又は「×」のいずれか）と、この受信品質の算出対象となった場所とを対応付けて受信品質ＤＢ３０に記憶させる。受信品質が変化した場所にあっては、制御部１１は、最新の受信品質を管理するように受信品質ＤＢ３０を更新する。
【００４６】
また、制御部１１は、所定の場所におけ放送波の受信品質を示す更新データをサーバ装置２０から無線通信部１３により受信してこれを取得し、この更新データに基づいて、受信品質ＤＢ３０の記憶内容を更新してもよい。この受信品質ＤＢ３０の更新の趣旨も前掲のものと同じである。ここでの更新データは、サーバ装置２０側の運営者の測定などにより得られた受信品質となるように更新するものであってもよいし、他のユーザの携帯端末で得られた最新の受信品質と同期するように更新するものであってもよい。後者の場合、サーバ装置２０は、全国各地の携帯端末の端末位置と、当該端末位置においてチューナ部が受信する放送波の受信品質とを収集し、この対応関係を反映させるような更新データを生成して配信するようにしてもよい。
【００４７】
［変形例７］
また、携帯端末１０が有する測位機能はＧＰＳ測位機能のものに限られない。携帯端末１０、例えば、フェムトセルやマクロセルを構成する基地局単位の位置を測るものであってもよい。同様に、携帯端末１０は、基地局により構成されるセクタ単位の位置を測ってもよいし、ＩＭＣＳ（Inbuilding Mobile Communication System）（登録商標）と呼ばれるサービスで使用される中継装置単位の位置を測ってもよい。
【００４８】
［変形例８］
携帯端末１０において閾値レベルを規定するパラメータは、Ｓ／Ｎ比以外であってもよい。例えば、閾値レベルを規定するパラメータはＢＥＲであってもよい。この場合も、携帯端末１０が閾値レベルを規定するパラメータを大きくするほど、消費電力の低減の効果は増大する。また、閾値レベルを規定するパラメータはノイズレベルであってもよい。この場合、携帯端末１０が閾値レベルを規定するパラメータを小さくするほど、消費電力の低減の効果は増大する。要するに、パラメータ変更部１１４は、消費電力の低減の効果を増大させたい場合には、チューナ部１６での再生動作の停止期間が長くなるよう、閾値レベルを高くする方向に当該閾値レベルを規定するパラメータを変更すればよいし、ワンセグ放送を視聴可能にする時間を長くする場合には、停止期間が短くなるよう、閾値レベルを低くする方向に当該閾値レベルを規定するパラメータを変更すればよい。
また、一般に、受信感度が悪い場合、携帯端末１０で音声信号の再生が可能であっても、映像信号の再生が不可能である場合がある。この場合、携帯端末１０は映像信号と音声信号とで別個の閾値レベルを設定し、映像信号と音声信号とを独立して再生の有無を判別してもよい。
【００４９】
［変形例９］
上述した実施形態では、本発明の携帯端末を携帯電話端末に適用した場合を説明したが、本発明は、その他の携帯端末に適用することも可能である。例えば、本発明は、例えば、スマートフォンやＰＤＡ（Personal Digital Assistance）、携帯ゲーム機等の様々な携帯端末に適用することができる。また、携帯端末によっては、携帯端末１０の内部構成を適宜外部構成としても本発明を特定しうる。
また、携帯端末１０はユーザによる各種の指示を音声認識などの技術を用いて受け付けてもよく、要するに、操作部１４の操作以外の方法で受け付けてもよい。
上述した各実施形態では、携帯端末１０がワンセグ放送の放送波に基づいて放送内容を再生するものであったが、本発明では放送の態様は特に問わない。すなわち、チューナ部は、デジタル放送の放送波に基づいて放送内容を再生するものであってもよいし、アナログ放送の放送波に基づいて放送内容を再生するものであってもよい。
また、携帯端末１０の制御部１１が実現する各機能は、複数のプログラムの組み合わせによって実現され、又は、複数のハードウェア資源の協働によって実現されうる。
【符号の説明】
【００５０】
１０…携帯端末、１１…制御部、１１１…位置特定部、１１２…受信品質特定部、１１３…チューナ制御部、１１４…パラメータ変更部、１１５…視聴率データ取得部、１１６…予約受付部、１１７…端末ユーザ属性取得部、１１８…推奨ユーザ属性取得部、１１９…指示受付部、１２…音声入出力部、１３…無線通信部、１４…操作部、１５…表示部、１６…チューナ部、１７…測位部、１８…記憶部、２０…サーバ装置、３０…受信品質ＤＢ
【図１】
0005643699.tif 000002
【図２】
0005643699.tif 000003
【図３】
0005643699.tif 000004
【図４】
0005643699.tif 000005
【図５】
0005643699.tif 000006
【図６】
0005643699.tif 000007
【図７】
0005643699.tif 000008
【図８】
0005643699.tif 000009
【図９】
0005643699.tif 000010
【図１０】
0005643699.tif 000011
【図１１】
0005643699.tif 000012
【図１２】
0005643699.tif 000013